(57)【要約】少なくともプレセットずみマクロ部分（１１，１１１）ではネット、フェルトまたは他の広範囲有孔材料から作られている支持層（１０，１１０）と、不透水性・透湿性の材料から作られていて、ネット、フェルトまたは他の広範囲有孔材料から作られた最低限１つの前記少なくともプレセットずみマクロ部分（１１，１１１）において前記支持層（１０，１１０）の上方に該マクロ部分を覆って接合された膜（１３，１１３）と、プラスチック材料から作られていて、ネット、フェルト、または他の広範囲有孔材料から作られた最低限１つの前記少なくともプレセットずみマクロ部分（１１，１１１）に最低限１つの貫通状マクロ孔（１６，１１６）がある接地部（１５，１１５）とを備え、前記接地部（１５，１１５）は、ネット、フェルトまたは他の広範囲有孔材料から作られた最低限１つの前記マクロ部分（１１，１１１）の少なくとも周辺で前記膜（１３，１１３）および前記支持層（１０，１１０）に密封状に接合されている構造を有している、靴用の防水性・通気性底革。
2006500128.tif 000002
【特許請求の範囲】
【請求項１】
少なくともプレセットずみマクロ部分（１１，１１１）ではネット、フェルトまたは他の広範囲有孔材料から作られている支持層（１０，１１０）と、
不透水性・透湿性の材料から作られていて、ネット、フェルトまたは他の広範囲有孔材料から作られた最低限１つの前記少なくともプレセットずみマクロ部分（１１，１１１）において前記支持層（１０，１１０）の上方に該マクロ部分を覆って接合された膜（１３，１１３）と、
プラスチック材料から作られていて、ネット、フェルト、または他の広範囲有孔材料から作られた最低限１つの前記少なくともプレセットずみマクロ部分（１１，１１１）に最低限１つの貫通状マクロ孔（１６，１１６）がある接地部（１５，１１５）とを備え、
前記接地部（１５，１１５）は、ネット、フェルトまたは他の広範囲有孔材料から作られた最低限１つの前記マクロ部分（１１，１１１）の少なくとも周辺で前記膜（１３，１１３）および前記支持層（１０，１１０）に密封状に接合されていることを特徴とする構造を有している、靴用の防水性・通気性底革。
【請求項２】
前記支持層（１０，１１０）は、ネット、フェルトまたは他の広範囲有孔材料から作られた最低限１つの前記マクロ部分（１１，１１１）に関して区別されている部分では、細目メッシュ、皮革、または他の類似材料によって構成されていることを特徴とする請求項１に記載の底革。
【請求項３】
防水性・透湿性材料から作られた前記膜（１３，１１３）は、その上方に存在しかつ合成材料から作られた、それを支持するための細目メッシュ（１４，１１４）とともに積層されていることを特徴とする請求項１に記載の底革。
【請求項４】
前記膜（１３，１１３）は、当接領域では、接着剤のスポットによって前記支持層（１０，１１０）に接合されていることを特徴とする請求項１に記載の底革。
【請求項５】
前記支持層（１１０）は、上方領域では前記膜（１１３）によって覆われた単一の広いマクロ部分（１１１）を構成するメッシュ、フェルトまたは他の広範囲有孔材料から全体が作られており、かつ、プラスチック材料から作られた前記接地部（１１５）は、前記支持層（１１０）に組み付けられて、前記膜（１１３）に少なくともその周辺領域で密封状に接合されていることを特徴とする請求項１に記載の底革。
【請求項６】
前記接地部（１１５）は、周辺部（１１５ａ）を除いて足の裏全体に実質的に作用する単一の広い貫通状マクロ孔（１１６）を実質的に１つ有しており、前記マクロ孔（１１６）は、地面に当接するための表面を周辺部（１１５ａ）とともに構成する突出部（１１５ｂ）によって境界が画されていることを特徴とする請求項５に記載の底革。
【請求項７】
前記接地部（１５，１１５）は、これを金型の中で前記支持層（１０，１１０）の上に直接射出し、射出したものを、ネットのメッシュを通して、または、厚さが周辺で薄くされ、前記膜（１３，１１３）へ到達するように周辺に孔が開けられるかまたはネットで縁取られたフェルトのメッシュを通して、少なくとも周辺で侵入させ、かつ、前記膜（１３，１１３）に密封状に接合することによるものであることを特徴とする請求項１〜６のいずれか１つに記載の底革。
【請求項８】
ネットのメッシュまたはフェルトのメッシュを通して侵入させて、下側の接地部（１５）と上側の膜（１３）とを一体状かつ密封状に接合するために、前記支持層（１０）の上に接着剤の周辺層（１７）が広げられることを特徴とする請求項１〜６のいずれか１つに記載の底革。
【請求項９】
支持層（１０）と膜（１３）との間または接地部（１５）と支持層（１０）との間にＰＶＣあるいはＰＵから作られたフィルム（１８）が配置され、これらの構成要素を一体状に接合するために、フィルム（１８）を溶融させるとともに溶融したものをネットのメッシュまたはフェルトのメッシュを通して侵入させるように高周波溶接が施されていることを特徴とする請求項１〜６のいずれか１つに記載の底革。
【請求項１０】
前記支持層（１０）と前記膜（１３）との間にＰＶＣあるいはＰＵから作られたフィルム（１８）が高周波溶接によって配置され、その組付体が前記接地部（１５）に接着されていることを特徴とする請求項１〜６のいずれか１つに記載の底革。
【請求項１１】
請求項１〜１０のいずれか１つに記載の底革を備え、組付中底（１２４）に組み付けられ、かつ、この中底の周辺領域で前記底革に接合された甲革（１２０）を備えてなることを特徴とする靴。
【請求項１２】
前記組付中底（１２４）、前記甲革（１２０）および前記底革の間における接合は、接着または高周波溶接によってもたらされていることを特徴とする請求項１１に記載の靴。
【請求項１３】
前記組付中底（１２４）は、下方領域で、広範囲有孔ＥＶＡ、ココナツ繊維などのような材料から作られた充填層（１２２）に接合されていることを特徴とする請求項１１または請求項１２に記載の靴。
【請求項１４】
通気性材料または広範囲有孔材料から作られた内底（１１９）が前記組付中底（１２４）の上方に配置されていることを特徴とする請求項１１〜請求項１３のいずれか１つに記載の靴。
【請求項１５】
前記内底（１１９）は、下方領域で、ポリエチレンなどから作られて広範囲に孔が開けられかつ解剖学的に形作られている吸収層（１１９ａ）に接合されていることを特徴とする請求項１４に記載の靴。
【請求項１６】
少なくともプレセットずみマクロ部分（１１１）ではネット、フェルトまたは他の広範囲有孔材料から作られている支持層（１１０）と、
不透水性・透湿性の材料から作られていて、ネット、フェルトまたは他の広範囲有孔材料から作られた最低限１つの前記少なくともプレセットずみマクロ部分（１１１）において前記支持層（１１０）の上方に該マクロ部分を覆って接合された膜（１１３）と、
プラスチック材料から作られていて、メッシュ、フェルト、または他の広範囲有孔材料から作られた最低限１つの前記少なくともプレセットずみマクロ部分（１１１）に最低限１つの貫通状マクロ孔（１１６）がある接地部（１１５）とを備えてなる靴であって、
下方領域で広範囲有孔ＥＶＡなどのような材料から作られた層（１２２）に接合された組付中底（１２４）に組み付けられている甲革（１２０）を備え、その層（１２２）は、前記マクロ部分（１１１）に関して周辺で前記膜（１１３）の上方から前記甲革（１２０）への前記膜（１１３）の密封状高周波溶接のための手段を構成し、前記接地部（１１５）は、周辺でその組付体に接着されていることを特徴とする靴。
【発明の詳細な説明】
【技術分野】
【０００１】
この発明は、靴用の改良された防水性・通気性底革およびこの底革で製造された靴に関するものである。
【背景技術】
【０００２】
靴用のプラスチック製防水性・通気性底革がすでに知られている。そのような底革の1つは、国際特許出願の公開第９７／１４３２６号公報に開示されている。
【０００３】
この事例では、底革は、
不透水性・透湿性の材料から作られた膜を有し、耐加水分解性、撥水性、通気性および／または有孔の材料から作られた下部保護層に接合された中底と、
有孔エラストマーから作られて中底に周縁で密封状に接合された接地部とを備えている。
【０００４】
国際特許出願の公開第９８／５１１７７号公報に開示された防水性・通気性底革もまた知られており、この底革は、不透水性・透湿性の膜があり、耐加水分解性、撥水性、通気性および／または有孔の材料から作られた下部保護層に接合された組付ずみインサートを備えている。
【０００５】
このインサートは、被覆成形されるかまたは被覆組付されかつ膜および保護層を取り囲みそれらに密封状に接合された要素によって仕上げられている。このインサートは、中底の一部であり、被覆成形されるかまたは被覆組付された有孔のプラスチック製接地部に前記中底とともに接合されている。
【０００６】
両事例では、膜の下側に配置された保護層は、孔から偶発的に入り込む異物によってそれが貫かれるのを保護するように設計されている。保護層は、フェルトから作られているのが普通であり、膜に通気可能に接合されており（例えばポリウレタン基剤を有している熱可塑性接着剤のスポットによって）、水蒸気は靴の内側から接地部に設けられた孔を通って外側へ移動することができる。
【０００７】
靴用の通気性・防水性底革は米国特許出願公開第０９／９７８，６３４号公報およびヨーロッパ特許出願公開第０１１２４２１０．４号公報によってもまた知られており、これらの底革は、接地部を構成する防水性下部構成要素と、少なくとも上面および端面における通気口に連通する孔が設けられた支持構造のある上部構成要素と、この上部構成要素の少なくとも外面領域を外側から取り囲む防水性・透湿性膜とを、少なくとも底革の外延部に沿って備えている。
【０００８】
下部構成要素、上部構成要素および膜は、内部へ水が侵入するおそれのある領域で密封状に接合されている。
【発明の開示】
【発明が解決しようとする課題】
【０００９】
これまでに説明した底革は、現在まで長年にわたって市販されてきており、また、靴の内側の微小雰囲気と外側の微小雰囲気との間における熱および水蒸気の交換をもたらすことができるとこぞって認識されているが、そのような底革は、例えば足からの発汗が量的に平均よりも多い一部のユーザーにおける使用のようないくつかの場合には、発生した水蒸気を完全に処理するとともに靴の内側の微小環境を矯正するための通気性が不充分であることがわかった。
【００１０】
実際のところ、これまでに説明した底革の構造には、少なくとも下方領域に、ミクロ孔のあるプラスチック材料からなる層、すなわち１〜２ミリメートル程度の直径のある孔が設けられたプラスチック材料からなる層があり、そのミクロ孔の全区域によって、熱と水蒸気との交換で現に影響を受ける膜の区域がどのような場合でも制限されるのである。
【００１１】
この発明の目標は、靴用の防水性・通気性底革を提供することと、不透水性・透湿性膜の通気性を最大限利用することのできる改良構造を有している、この底革がある靴を提供することである。
【００１２】
この目標の範囲内におけるこの発明の１つの目的は、膜の区域をそれが足の裏全体に作用するまで拡大することのできる構造を有している靴用の防水性・通気性底革を提供することである。別の目的は、従来の底革に関する格別な構造的複雑さの伴わない底革を提供することである。別の目的は、そのコストが在来型に対して競合することのできる底革を提供することである。
【課題を解決するための手段】
【００１３】
この目標、これらの目的、および後にいっそう明らかになる他の目的は、
少なくともプレセット（ｐｒｅｓｅｔｔｉｎｇ：染色などの準備工程として行なう熱処理）ずみマクロ部分ではネット、フェルトまたは他の広範囲有孔材料から作られている支持層と、
不透水性・透湿性の材料から作られていて、ネット、フェルトまたは他の広範囲有孔材料から作られた最低限１つの前記少なくともプレセットずみマクロ部分において前記支持層の上方に該マクロ部分を覆って接合された膜と、
プラスチック材料から作られていて、ネット、フェルト、または他の広範囲有孔材料から作られた最低限１つの前記少なくともプレセットずみマクロ部分に最低限１つの貫通状マクロ孔がある接地部とを備え、
前記接地部は、ネット、フェルトまたは他の広範囲有孔材料から作られた最低限１つの前記マクロ部分の少なくとも周辺で前記膜および前記支持層に密封状に接合されていることを特徴とする構造を有している、靴用の防水性・通気性底革によって達成される。
【００１４】
この発明のさらに別の特徴および利点は、添付図面において非限定的な例として図示されたいくつかの実施形態の詳細な説明からいっそう明らかになる。
【発明を実施するための最良の形態】
【００１５】
図１〜図４によれば、第１実施形態に係る靴用の防水性・通気性底革は、支持層１０を備えた構造を有し、支持層１０は、プレセットずみマクロ部分（１１，１１１）では、ネット、フェルトまたは他の広範囲有孔材料から作られている。
【００１６】
支持層１０は、この場合には靴の組付中底を構成している。用語「マクロ部分」は、好ましくは最低限１平方センチメートル程度である区域の部分に言及するために使われる。他の部分１２では、支持層１０は、合成材料、皮革または他の常用材料からなる細目メッシュによって構成することができる。
【００１７】
この構造は膜１３もまた備えているが、膜１３は、不透水性・透湿性の材料（一般に市販されており、例えば発泡ポリテトラフルオロエチレンから作られている）から作られており、膜１３の上方に存在し合成材料から作られかつ少なくともマクロ部分１１で該マクロ部分を覆って支持層１０の上方に配置された細目メッシュ１４の表面に、それを支持するために張り合わされている。
【００１８】
膜１３は、気密性材料または通気性材料から作ることができる。膜１３は、当接の領域では接着剤のスポット（図では示されていない）によって支持層１０に接合することができる。
【００１９】
プラスチック材料から作られた接地部１５は、マクロ部分１１に貫通状マクロ孔１６を有しており、マクロ部分１１の少なくとも周辺で膜１３と支持層１０とに密封状に接合されている。
【００２０】
貫通状マクロ孔１６には、使用の結果として生じる変形の際に張力部材として作用することで組付体の横変形を防止する横材１６ａを渡すことができる。
【００２１】
この接合体（図１および図２）は、その構成要素が接合されるときにネットのメッシュを通って侵入するように広がり、かつ、接地部１５と膜１３とを一体状に接合する、例えば接着剤の周辺層１７によって設けることができる。
【００２２】
別の方法（図３および図４）として、支持層１０と膜１３との間に、または接地部１５と支持層１０との間に、ＰＶＣあるいはＰＵから作られたフィルム１８を配置し、次いで接地部１５と膜１３との間に高周波溶接を施してフィルム１８を溶融させ、溶融したものをこれらの構成要素が一体状に接合するようにネットのメッシュの間に侵入させてもよい。
【００２３】
さらに別の方法として、層１０と膜１３とをフィルム１８に高周波溶接し、次いでその組付体を接地部１５に接着させてもよい。
【００２４】
通気性材料または広範囲有孔材料から作られた、足を支持するための、図には示されていない内底を、支持層１０と細目メッシュ１４の備わった膜１３との上方に配置してもよい。
【００２５】
説明された底革は、一般に知られた方法で、靴２１を構成するために任意の種類の甲革２０に張り付けることができる。
【００２６】
図５による、わずかに異なる実施形態では、部分１２がなくて足の裏全体に作用する単一のマクロ部分１１を、接地部１５の貫通状マクロ孔１６の配置にかかわらず設けることができる。この場合には、膜１３およびその支持体１４もまた、足の裏全体に作用する。接着層１７またはフィルム１８が周辺に配置される。
【００２７】
さて図６〜図９によれば、第２実施形態に係る靴用の防水性・通気性底革には、ネット、フェルトまたは他の広範囲有孔材料から全体として作られ、したがって単一の広いマクロ部分１１１を構成する支持層１１０を備えた構造がある。
【００２８】
この底革には、不透水性・透湿性の材料（一般に市販されており、例えば発泡ポリテトラフルオロエチレンから作られている）から作られた膜１１３もまた備わっているが、この膜１１３は、合成材料から作られかつ支持層１１０の上方に配置されてそれを完全に覆う細目メッシュ１１４とともに積層されている。
【００２９】
膜１１３は、気密性材料または通気性材料から作ることができる。膜１１３は接着剤のスポットによって支持層１１０に接合されているのが好ましい。膜１１３の下には、支持層１１０が例えばネットから作られているときには、例えばフェルトから作られた保護層１１０ａを配置することができる。
【００３０】
プラスチック材料から作られた接地部１１５が、支持層１１０に組み付けられ、かつ、膜１１３の少なくとも周辺領域で膜１１３に密封状に接合されている。
【００３１】
この接合体は、接地部１１５を金型の中で支持層１１０の上に直接射出し、射出したものを、ネットのメッシュを通して、または、厚さが周辺で適切に薄くされ、膜１１３へ到達するように周辺に孔が開けられるかまたはネットで縁取られたフェルトのメッシュを通して、少なくとも周辺で侵入させることによって、設けることができる。
【００３２】
接地部１１５はマクロ孔１１６を構成するように設けられるが、このマクロ孔１６は例えば、地面に当接するための表面を周辺部１１５ａとともに構成する突出部１１５ｂによってさえぎられている、周辺部１１５ａを除いて足の裏全体に実質的に作用する単一の広い貫通状マクロ孔１６である。
【００３３】
接地部１１５と支持層１１０との接合は、第１実施形態において説明された方法によって、すなわち接着または高周波溶接によってもまた行うことができる。
【００３４】
この底革は、靴１２１を設けるために、組付中底１２４に組み付けられかつ場合によっては下方領域で広範囲有孔ＥＶＡ、ココナツ繊維などのような発泡材料から作られた充填層１２２に接合される甲革１２０に接合することができる。
【００３５】
この層１２２は、広範囲有孔ＥＶＡなどから作られている（したがって、本質的に防水性であるが通気性にされている）ときには、膜１１３の上方から甲革１２０までの周辺密封式高周波溶接のための手段として用いることができる。その後の接地部１１５の接着は、必ずしも密封状でなくてもよい。
【００３６】
この底革と甲革１２０との接合は、前記組付中底の周辺領域におけるものであり、例えば接着または高周波溶接によってもたらされる。通気性材料または広範囲有孔材料から作られた内底１１９は、組付中底１２４の上方に配置することができる。内底１１９は、下方領域で、ポリエチレンなどから作られ、広範囲に孔が開けられて解剖学的に形作られている衝撃吸収層１１９ａに接合することもできる。
【００３７】
図示されていないが、クリーニング用中底、吸収層などの他の層を設けることができる。
【００３８】
実際に、この発明の意図した目標および目的が達成されたことはわかった。その構造が防水性・透湿性膜の通気性を最大限利用することのできる、靴用の防水性・通気性底革は実際にもたらされた。その構造によって、膜の区域は、それが実質的に足の裏全体に作用するまで大きくなる。この底革の製造には、従来の底革に関する構造上の格別な複雑さが伴わない。
【００３９】
以上のように考え出されたこの発明は、すべてが「特許請求の範囲」の範囲内に属する、きわめて多くの修正および変形を加えることができる。すべての細部は、技術的に同等な他の要素で置き換えることもまた可能である。実際のところ、材料は、それらがあり得る用途に適合する限り、寸法とともに、要求に応じたどのようなものでもよい。
【００４０】
この出願が優先権を主張するイタリア特許出願ＰＤ２００２Ａ０００２４６号における開示は、引用によってこの明細書に組み入れられる。
【図面の簡単な説明】
【００４１】
【図１】図１は、この発明の第１実施形態に係る構造を有している靴用の防水性・通気性底革の縦断面図である。
【図２】図２は、図１の底革における細部の拡大断面図である。
【図３】図３は、図１の底革の変形例における細部の拡大断面図である。
【図４】図４は、図３の変形例における構成要素の分解図である。
【図５】図５は、この発明の構造上の変形例に係る構造を有している靴用の防水性・通気性底革の縦断面図である。
【図６】図６は、この発明の第２実施形態に係る構造を有している靴用の防水性・通気性底革の分解縦断面図である。
【図７】図７は、組み付けられた状態にある図６の底革の縦断面図である。
【図８】図８は、図６および図７の底革が設けられた靴の底部斜視図である
【図９】図９は、図７の細部の拡大断面図である。
【図１】
2006500128.tif 000003
【図２】
2006500128.tif 000004
【図３】
2006500128.tif 000005
【図４】
2006500128.tif 000006
【図５】
2006500128.tif 000007
【図６】
2006500128.tif 000008
【図７】
2006500128.tif 000009
【図８】
2006500128.tif 000010
【図９】
2006500128.tif 000011
【国際調査報告】
2006500128.tif 000012
2006500128.tif 000013
2006500128.tif 000014
2006500128.tif 000015